【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
企業が個性評価用の製品を使用して、その個々の顧客の個性を評価した結果、前記企業がその顧客の欲求および要望を予測するための改善された機能を実現することに基づいて、前記企業がその顧客の満足度を増大できるようにする個性評価用の製品であって、前記個性評価用の製品が、
複数の個性特性（１０）と、
複数の写真画像（１６）であって、複数の前記個性特性がランク付けされ（１８）、それぞれの写真画像の心理学的内容に基づいて前記複数の写真画像のそれぞれに割り当てられ、それによって、心理学的な視点から、前記複数の写真画像のうち特定の１つに関連付けられるよう選択する顧客が、前記割り当てられた複数の前記個性特性をもつものと評価され得る複数の写真画像（１６）と、
複数の個性タイプのうちの１つに分類された顧客によって示されると予想される、欲求および要望に関する行動に基づいて顧客が分類される先の複数の個性タイプ（１２）と、
前記顧客が関連付けられるよう選択する前記写真画像、および、ランク付けされ、前記写真画像のそれぞれに割り当てられた、関連する複数の前記個性特性を利用して、前記複数の個性タイプのうちの１つに前記顧客を分類するようになされた構成を有する第１のアルゴリズム（２０）と
を含む、個性評価用の製品。
【請求項２】
個性特性がタグ付けされた前記複数の写真画像のそれぞれのデジタル・バージョンを、個性評価される前記顧客に個別に提示するようになされた構成を有する画像ビューアと、
前記顧客が関連付けられるよう選択する前記複数の写真画像のいずれかを識別するために、個性評価される前記顧客によって使用され、かつ、前記第１のアルゴリズムへの入力としての使用に適した、選択された関連付けの出力を提供するようになされた構成を有するインターフェースと
をさらに含む、請求項１に記載の個性評価用の製品。
【請求項３】
前記複数の個性特性（１０）が、少なくとも４０対の前記個性特性からなる、請求項１に記載の個性評価用の製品。
【請求項４】
企業が方法を使用して、その個々の顧客の個性を評価した結果、前記企業がその顧客の欲求および要望を予測するための改善された機能を実現することに基づいて、前記企業がその顧客の満足度を増大できるようにする、画像ビューア、入力装置、およびプロセッサを有するタイプのコンピュータによって実行される方法であって、
複数の個性特性（１０）を提供するステップと、
顧客が閲覧するための個性特性がタグ付けされた複数の写真画像（１６）であって、複数の前記個性特性がランク付けされ（１８）、それぞれの写真画像の心理学的内容に基づいて前記個性特性がタグ付けされた複数の写真画像のそれぞれに割り当てられ、それによって、心理学的な視点から、前記個性特性がタグ付けされた複数の写真画像のうち特定の１つに関連付けられるよう選択する顧客が、前記割り当てられた複数の前記個性特性をもつものと評価され得る個性特性がタグ付けされた複数の写真画像（１６）を提供するステップと、
前記個性特性がタグ付けされた複数の写真画像のそれぞれのデジタル・バージョンを前記顧客のそれぞれに個別に提示する前記画像ビューアを使用するステップと、
前記顧客のそれぞれが関連付けられるよう選択する前記個性特性がタグ付けされた写真画像のいずれかを、前記顧客のそれぞれが識別し、前記顧客のそれぞれが関連付けられるよう選択する前記個性特性がタグ付けされた写真画像のいずれかの前記識別を前記プロセッサに入力できるようにする前記入力装置を使用するステップと、
複数の個性タイプのうちの１つに分類された顧客によって示されると予想される、欲求および要望に関する行動に基づいて顧客が分類される先の複数の個性タイプ（１２）であって、前記個性タイプ（１２）のそれぞれが、前記個性タイプのそれぞれに関連付けられた前記複数の個性特性（１０）の特定のセットによって区別される複数の個性タイプ（１２）を提供するステップと、
前記顧客が関連付けられるよう選択する前記個性特性がタグ付けされた写真画像、および、ランク付けされ、前記個性特性がタグ付けされた写真画像のそれぞれに割り当てられた、関連する複数の前記個性特性を利用して、前記複数の個性タイプのうちの１つに前記顧客を分類するようになされた構成を有する第１のアルゴリズム（２０）を提供するステップと
を含む、方法。
【請求項５】
前記複数の個性特性（１０）が、少なくとも４０対の二分された個性特性を含む、請求項４に記載の方法。
【請求項６】
前記複数の個性特性（１０）が、少なくとも９５対の二分された個性特性を含む、請求項５に記載の方法。
【請求項７】
プロセッサ、入力装置、および画像ビューアを有するタイプのコンピュータ装置とともに使用するためのコンピュータ・プログラム製品であって、コンピュータ読取り可能で持続的な記憶媒体、および企業が前記コンピュータ・プログラム製品を使用して、その個々の顧客の個性を評価した結果、前記企業がその顧客の欲求および要望を予測するための改善された機能を実現することに基づいて、前記企業がその顧客の満足度を増大できるようにするための、前記記憶媒体上の命令を含み、前記命令が、
複数の個性特性（１０）を提供するステップと、
顧客が閲覧するための個性特性がタグ付けされた複数の写真画像（１６）であって、複数の前記個性特性がランク付けされ（１８）、それぞれの写真画像の心理学的内容に基づいて前記個性特性がタグ付けされた複数の写真画像のそれぞれに割り当てられ、それによって、心理学的な視点から、前記個性特性がタグ付けされた複数の写真画像のうち特定の１つに関連付けられるよう選択する顧客が、前記割り当てられた複数の前記個性特性をもつものと評価され得る個性特性がタグ付けされた複数の写真画像（１６）を提供するステップと、
前記個性特性がタグ付けされた複数の写真画像のそれぞれのデジタル・バージョンを前記顧客のそれぞれに個別に提示する前記画像ビューアを使用するステップと、
前記顧客のそれぞれが関連付けられるよう選択する前記個性特性がタグ付けされた複数の写真画像のいずれかを、前記顧客のそれぞれが識別できるようにする前記入力装置を使用するステップと、
複数の個性タイプのうちの１つに分類された顧客によって示されると予想される、欲求および要望に関する行動に基づいて顧客が分類される先の複数の個性タイプ（１２）であって、前記個性タイプ（１２）のそれぞれが、前記個性タイプのそれぞれに関連付けられた前記複数の個性特性（１０）の特定のセットによって区別される複数の個性タイプ（１２）を提供するステップと、
前記顧客が関連付けられるよう選択する前記個性特性がタグ付けされた写真画像、および、ランク付けされ、前記個性特性がタグ付けされた写真画像のそれぞれに割り当てられた、関連する複数の前記個性特性を利用して、前記複数の個性タイプのうちの１つに前記顧客を分類するようになされた構成を有する第１のアルゴリズム（２０）を提供するステップと
を含む、コンピュータ・プログラム製品。
【請求項８】
前記複数の個性特性（１０）が、少なくとも４０対の二分された個性特性を含む、請求項７に記載のコンピュータ・プログラム製品。
【請求項９】
前記複数の個性特性（１０）が、少なくとも９５対の二分された個性特性を含む、請求項８に記載のコンピュータ・プログラム製品。
【請求項１０】
企業が個性評価用のコンピュータ・プログラム製品を使用して、その個々の顧客の個性を評価した結果、前記企業がその顧客の欲求および要望を予測するための改善された機能を実現することに基づいて、前記企業がその顧客の満足度を増大できるようにする個性評価用のコンピュータ・プログラム製品であって、前記企業が、前記顧客と対話するための画像ビューアおよび入力装置を有する顧客のネットワーク化されたコンピュータを利用し、前記個性評価用のコンピュータ・プログラム製品が、
複数の個性特性（１０）と、
顧客が閲覧するための、個性特性がタグ付けされた複数の写真画像（１６）であって、複数の前記個性特性がランク付けされ（１８）、それぞれの写真画像の心理学的内容に基づいて前記個性特性がタグ付けされた複数の写真画像のそれぞれに割り当てられ、それによって、心理学的な視点から、前記個性特性がタグ付けされた複数の写真画像のうち特定の１つに関連付けられるよう選択する顧客が、前記割り当てられた複数の前記個性特性をもつものと評価され得る個性特性がタグ付けされた複数の写真画像（１６）と、
前記顧客のそれぞれが使用するための選択可能化ユーザ・インターフェース（１４）であって、前記顧客画像ビューアを使用して、前記個性特性がタグ付けされた複数の写真画像のそれぞれのデジタル・バージョンを前記顧客のそれぞれに個別に提示するようになされた構成を有する、選択可能化ユーザ・インターフェース（１４）と、
前記顧客のそれぞれが使用するための選択識別ユーザ・インターフェース（１５）であって、前記顧客入力装置を使用して、前記顧客のそれぞれが関連付けられるよう選択する前記複数の写真画像のいずれかを、前記顧客のそれぞれが識別できるようにするようになされた構成を有する、選択識別ユーザ・インターフェース（１５）と、
複数の個性タイプのうちの１つに分類された顧客によって示されると予想される、欲求および要望に関する行動に基づいて顧客が分類される先の複数の個性タイプ（１２）であって、前記個性タイプのそれぞれが、前記個性タイプのそれぞれに関連付けられた前記複数の個性特性の特定のセットによって区別される複数の個性タイプ（１２）と、
前記顧客が関連付けられるよう選択する前記個性特性がタグ付けされた写真画像、および、ランク付けされ、前記個性特性がタグ付けされた写真画像のそれぞれに割り当てられた、関連する複数の前記個性特性を利用して、前記複数の個性タイプのうちの１つに前記顧客を分類するようになされた構成を有する第１のアルゴリズム（２０）と
を含む、個性評価用のコンピュータ・プログラム製品。
【請求項１１】
前記複数の個性特性（１０）が、少なくとも４０対の二分された個性特性を含む、請求項１０に記載の個性評価用のコンピュータ・プログラム製品。